(57)【要約】【課題】止水性を向上することができる止水構造を提供する。【解決手段】複数の信号線３を覆う編組５を有するシールド電線７と、シールド電線７が挿通される外装部材９と、取付部材１１の開口部１３に配置され取付部材１１の一側と他側とを区画しシールド電線７が挿通される挿通部１５を有するグロメット１７とを備えた止水構造１において、挿通部１５と外装部材９との間に、編組５が外部に露出する露出部１９を配置し、露出部１９に、外装部材９と挿通部１５とに一体成形され編組５内の複数の信号線３の間、編組５と複数の信号線３との間、編組５の間、編組５と外装部材９との間、編組５と挿通部１５との間に充填される樹脂２１を設けた。【選択図】図１
2019075918.tif 000002
【特許請求の範囲】
【請求項１】
複数の信号線を覆う編組を有するシールド電線と、
前記シールド電線が挿通される外装部材と、
取付部材の開口部に配置され前記取付部材の一側と他側とを区画し前記シールド電線が挿通される挿通部を有するグロメットと、
前記挿通部と前記外装部材との間に配置され前記編組が外部に露出する露出部と、
前記露出部に設けられ前記外装部材と前記挿通部とに一体成形され前記編組内の複数の前記信号線の間、前記編組と複数の前記信号線との間、前記編組の間、前記編組と前記外装部材との間、前記編組と前記挿通部との間に充填される樹脂と、
を有することを特徴とする止水構造。
【請求項２】
請求項１記載の止水構造であって、
前記外装部材は、前記取付部材の一側と他側とにそれぞれ配置され、
前記挿通部と一側と他側の前記外装部材との間には、それぞれ前記露出部が配置され、
一側と他側の前記露出部には、それぞれ前記樹脂が設けられていることを特徴とする止水構造。
【発明の詳細な説明】
【技術分野】
【０００１】
本発明は、止水構造に関する。詳細には、シールド電線が挿通される外装部材とシールド電線が挿通されるグロメットとの間の止水構造に関する。
【背景技術】
【０００２】
従来、止水構造としては、複数の電線と、この電線が挿通される外装部材と、取付部材としてのパネルの開口部に配置されパネルの一側と他側とを区画し外装部材の外周に一体成形されたグロメットとを備えたものが知られている（例えば、特許文献１参照）。
【０００３】
この止水構造では、外装部材の長手方向の一部に、他の部分より小さな外径を有する小径部が設けられ、この小径部にグロメットを構成する樹脂材料が一体成形されている。
【先行技術文献】
【特許文献】
【０００４】
【特許文献１】特開２０１６−２５７５０号公報
【発明の概要】
【発明が解決しようとする課題】
【０００５】
ところで、上記特許文献１のような止水構造では、グロメットを挿通する外装部材の内部が止水されておらず、外装部材の内部に挿通された電線に沿って水などが取付部材の内部に侵入する可能性があった。
【０００６】
そこで、この発明は、止水性を向上することができる止水構造の提供を目的としている。
【課題を解決するための手段】
【０００７】
請求項１記載の発明は、複数の信号線を覆う編組を有するシールド電線と、前記シールド電線が挿通される外装部材と、取付部材の開口部に配置され前記取付部材の一側と他側とを区画し前記シールド電線が挿通される挿通部を有するグロメットと、前記挿通部と前記外装部材との間に配置され前記編組が外部に露出する露出部と、前記露出部に設けられ前記外装部材と前記挿通部とに一体成形され前記編組内の複数の前記信号線の間、前記編組と複数の前記信号線との間、前記編組の間、前記編組と前記外装部材との間、前記編組と前記挿通部との間に充填される樹脂とを有することを特徴とする止水構造。
【０００８】
この止水構造では、露出部に、外装部材と挿通部とに一体成形され編組内の複数の信号線の間、編組と複数の信号線との間、編組の間、編組と外装部材との間、編組と挿通部との間に充填される樹脂が設けられているので、外装部材の内部でシールド電線に沿って水などが取付部材の内部に浸入しようとしても、樹脂によって阻止することができる。
【０００９】
従って、このような止水構造では、露出部の全ての隙間に樹脂が充填されているので、水などの浸入を確実に防止することができ、止水性を向上することができる。
【００１０】
また、露出部に対して、外装部材と挿通部とに樹脂を一体成形することにより、露出部の全ての隙間に樹脂を充填することができるので、専用の外装部材やグロメットを用いる必要がなく、汎用性を向上することができる。
【００１１】
請求項２記載の発明は、請求項１記載の止水構造であって、前記外装部材は、前記取付部材の一側と他側とにそれぞれ配置され、前記挿通部と一側と他側の前記外装部材との間には、それぞれ前記露出部が配置され、一側と他側の前記露出部には、それぞれ前記樹脂が設けられていることを特徴とする。
【００１２】
この止水構造では、一側と他側の露出部に、それぞれ樹脂が設けられているので、取付部材の一側と他側のいずれの方向からの水などの浸入を防止することができ、さらに止水性を向上することができる。
【発明の効果】
【００１３】
本発明によれば、止水性を向上することができる止水構造を提供することができるという効果を奏する。
【図面の簡単な説明】
【００１４】
【図１】本発明の実施の形態に係る止水構造の一部を断面とした側面図である。
【図２】図１のＸ−Ｘ断面図である。
【図３】図１のＹ−Ｙ断面図である。
【発明を実施するための形態】
【００１５】
図１〜図３を用いて本発明の実施の形態に係る止水構造について説明する。
【００１６】
本実施の形態に係る止水構造１は、複数の信号線３を覆う編組５を有するシールド電線７と、このシールド電線７が挿通される外装部材９と、取付部材１１の開口部１３に配置され取付部材１１の一側と他側とを区画しシールド電線７が挿通される挿通部１５を有するグロメット１７とを備えている。
【００１７】
また、挿通部１５と外装部材９との間には、編組５が外部に露出する露出部１９が配置されている。
【００１８】
そして、露出部１９には、外装部材９と挿通部１５とに一体成形され編組５内の複数の信号線３の間、編組５と複数の信号線３との間、編組５の間、編組５と外装部材９との間、編組５と挿通部１５との間に充填される樹脂２１が設けられている。
【００１９】
また、外装部材９は、取付部材１１の一側と他側とにそれぞれ配置され、挿通部１５と一側と他側の外装部材９，９との間には、それぞれ露出部１９，１９が配置されている。
【００２０】
そして、一側と他側の露出部１９，１９には、それぞれ樹脂２１，２１が設けられている。
【００２１】
図１〜図３に示すように、シールド電線７は、複数（ここでは２本）の信号線３と、編組５とを備えている。
【００２２】
複数の信号線３は、機器（不図示）間、或いは機器と電源（不図示）との間などに配置され、両端側がそれぞれ機器、或いは電源などに電気的に接続されている。
【００２３】
この複数の信号線３の外周は、編組５によって覆われている。
【００２４】
編組５は、複数の細い導電性材料を編み込むことによって形成され、複数の信号線３の外周を覆い、一端が車両ボディ（不図示）を介して接地され、シールド回路を形成する。
【００２５】
この編組５で複数の信号線３の外周を覆うことにより、信号線３へのノイズなどの浸入、或いは信号線３からのノイズなどの発生を防止することができる。
【００２６】
このようなシールド電線７は、外装部材９の内部に挿通され、外周が外装部材９によって保護されている。
【００２７】
外装部材９は、合成樹脂などの絶縁性材料からなり、内部に複数の信号線３を挿通可能に筒状に形成され、信号線３が周辺部材と干渉することを防止するコルゲートチューブなどの保護部材からなる。
【００２８】
この外装部材９で外周を覆われたシールド電線７は、取付部材１１の開口部１３を挿通し、取付部材１１の一側と他側に配置される。
【００２９】
取付部材１１は、例えば、一側としての車室と、他側としての車室外とを区画するパネルなどの壁部を有し、この壁部にはシールド電線７を挿通するための開口部１３が設けられている。
【００３０】
この取付部材１１の開口部１３には、一側と他側とを区画するシール部材としてのグロメット１７が配置されている。
【００３１】
グロメット１７は、ゴムなどの弾性材料からなり、密着部２３と、挿通部１５とを備えている。
【００３２】
密着部２３は、フランジ状に形成され、外周に周方向にわたって取付部材１１の開口部１３の縁部と係合可能な溝部２５が設けられている。
【００３３】
この密着部２３は、溝部２５が開口部１３の縁部と密着して係合することにより、取付部材１１の開口部１３を介して水などが浸入することを防止する。
【００３４】
挿通部１５は、密着部２３と連続する一部材で形成され、グロメット１７の中央部にシールド電線７を挿通可能なように取付部材１１の一側と他側に向けてそれぞれ筒状に延設されている。
【００３５】
この挿通部１５は、シールド電線７が挿通された状態で、内周面がシールド電線７の外周に密着して配置され、シールド電線７に沿って水などが取付部材１１の一側から他側、或いは他側から一側に浸入することを防止する。
【００３６】
しかしながら、シールド電線７の外周には、編組５が配置されているので、挿通部１５の内周面が編組５に密着したとしても、編組５の編み目によって隙間が形成されてしまい、挿通部１５による密着だけでは水などの浸入を阻止することが困難であった。
【００３７】
そこで、シールド電線７の長さ方向において、取付部材１１の一側と他側に、それぞれ外装部材９，９を配置させ、外装部材９，９と挿通部１５との間に、それぞれシールド電線７の編組５が外部に露出する露出部１９，１９が設けられている。
【００３８】
この露出部１９，１９には、それぞれ外装部材９の一部と挿通部１５の一部とにわたって、樹脂２１，２１がモールド成形によって一体成形されている。
【００３９】
この露出部１９，１９に対する樹脂２１，２１のモールド成形により、編組５内の複数の信号線３の間、編組５と複数の信号線３との間、編組５の間、編組５と外装部材９との間、編組５と挿通部１５との間に、それぞれ溶融した樹脂が流れ込み、全ての隙間を埋めた状態で樹脂が固化される。
【００４０】
このため、シールド電線７に沿って一側と他側の外装部材９，９内に水などが浸入しても、露出部１９，１９に位置する樹脂２１，２１によってそれ以上の水などの浸入を確実に防止することができ、挿通部１５まで水などが到達することがない。
【００４１】
なお、樹脂２１としては、溶融した後、固化して形状を保持するものであれば、どのような樹脂であってもよい。
【００４２】
このような樹脂２１は、露出部１９にモールド成形できるものであればよいので、特殊な形状を有する専用の外装部材やグロメットを用いることなく、一般的な外装部材９やグロメット１７に適用することができ、汎用性を向上することができる。
【００４３】
このような止水構造１では、露出部１９に、外装部材９と挿通部１５とに一体成形され編組５内の複数の信号線３の間、編組５と複数の信号線３との間、編組５の間、編組５と外装部材９との間、編組５と挿通部１５との間に充填される樹脂２１が設けられているので、外装部材９の内部でシールド電線７に沿って水などが取付部材１１の内部に浸入しようとしても、樹脂２１によって阻止することができる。
【００４４】
従って、このような止水構造１では、露出部１９の全ての隙間に樹脂２１が充填されているので、水などの浸入を確実に防止することができ、止水性を向上することができる。
【００４５】
また、一側と他側の露出部１９，１９には、それぞれ樹脂２１，２１が設けられているので、取付部材１１の一側と他側のいずれの方向からの水などの浸入を防止することができ、さらに止水性を向上することができる。
【００４６】
なお、本発明の実施の形態に係る止水構造では、取付部材の一側と他側とにそれぞれ露出部を設け、それぞれの露出部に樹脂を設けているが、これに限らず、水などが浸入してくる可能性が高い側のみに露出部を設けて、この露出部に樹脂を設けるようにしてもよい。
【符号の説明】
【００４７】
１…止水構造
３…信号線
５…編組
７…シールド電線
９…外装部材
１１…取付部材
１３…開口部
１５…挿通部
１７…グロメット
１９…露出部
２１…樹脂
【図１】
2019075918.tif 000003
【図２】
2019075918.tif 000004
【図３】
2019075918.tif 000005